(57)【要約】【課題】接続ユニットをベースユニットに対して組付・分解を行う際に、接続ユニットの一端部を床面に載置した状態で他端部を持ち上げた場合でも、簡易な構成で床面を傷つけることを防止できる、組立ベッドを提供する。【解決手段】昇降ベッド１は、床面に載置されるベースユニット２と、ベースユニット２の上側からベースユニット２に組付けられる接続ユニットであるモーターユニット３と、を備えた組立ベッドであって、ベースユニット２に対するモーターユニット３の組付又は分解を行う際に、モーターユニット３の後端部におけるリア係合金具３１ａに被せられるキャップ部材９と、キャップ部材９が係合可能とされる被係合部である固定ピン５１ａと、を備える。【選択図】図２
2019097645.tif 000002
【特許請求の範囲】
【請求項１】
床面に載置されるベースユニットと、前記ベースユニットの上側から前記ベースユニットに組付けられる接続ユニットと、を備えた組立ベッドであって、
前記ベースユニットに対する前記接続ユニットの組付又は分解を行う際に、前記接続ユニットの一端部に被せられるキャップ部材と、
前記キャップ部材が係合可能とされる被係合部と、を備える、組立ベッド。
【請求項２】
前記被係合部は、前記接続ユニットを前記ベースユニットに組付けた状態において、前記接続ユニットの一端部の近傍に位置する、請求項１に記載の組立ベッド。
【請求項３】
前記接続ユニットの一端部には一端側ユニットが組付けられ、
前記一端側ユニットには固定ピンが形成され、
前記接続ユニットの前記一端部には、前記一端側ユニットを前記接続ユニットに組付ける際に前記固定ピンと係合する係合金具が固定され、
前記キャップ部材は、前記ベースユニットに対する前記接続ユニットの組付又は分解を行う際に、前記係合金具に被せられる、請求項１又は請求項２に記載の組立ベッド。
【請求項４】
前記固定ピンは、前記被係合部として前記キャップ部材が係合可能とされる、請求項３に記載の組立ベッド。
【請求項５】
前記キャップ部材は、前記接続ユニットの前記一端部に被せられるキャップ本体部と、前記キャップ本体部から延出されて前記被係合部と係合するチャック部と、が一体的に形成される、請求項１から請求項４の何れか１項に記載の組立ベッド。
【発明の詳細な説明】
【技術分野】
【０００１】
本発明は、ベッドの構成部品を組み合わせて使用する組立ベッドに関する。
【背景技術】
【０００２】
従来、高齢者等の体の不自由な者を介護するための介護用ベッドとして、マットレスを敷くためのベッド構造体を昇降可能とする昇降ベッドが知られている。このような昇降ベッドにおいては、床面に載置する基台部であるベースユニット、ベースユニットに組付けられる接続ユニット（例えば、昇降機構を備えたモーターユニット）、及び、その他の構成部品に分割した組立ベッドとして構成する技術が知られている（例えば、特許文献１を参照）。このように、構成部品を組み合わせて使用する組立ベッドとして昇降ベッドを構成することにより、使用者によるベッドの運搬作業及び設置作業を容易としている。
【先行技術文献】
【特許文献】
【０００３】
【特許文献１】特開２００６−３４０９６４号公報
【発明の概要】
【発明が解決しようとする課題】
【０００４】
上記の如く構成部品を分割した組立ベッドにおいて、接続ユニットをベースユニットに組付ける際には、接続ユニットをベースユニットに載置する必要がある。この際、一人で組立作業を行う場合は、接続ユニットの一端部を床面に載置した状態で他端部を持ち上げた際に、接続ユニットの一端部が床面と擦れて床面を傷つける可能性があった。また、一度組立てた組立ベッドを移動する場合に、接続ユニットとベースユニットとを分解する際も、同様に接続ユニットの一端部が床面と擦れて床面を傷つける可能性があった。
【０００５】
上記の組立ベッドにおいて、接続ユニットをベースユニットに対して組付・分解する際に、接続ユニットの一端部と床面との間にタオルや段ボール等を介挿した状態で作業を行うこともできる。しかし、タオル等が接続ユニットの一端部から離脱した場合は、接続ユニットの一端部が床面に接触するため、床面を傷つけてしまう。また、組立ベッドは介護現場等での使用が終了する度に分解と組立とを繰り返すことが多い。分解・組立作業を行う毎にタオル等を用意することは作業者にとって作業負担が大きくなっていた。
【０００６】
本発明は以上の如き状況に鑑みてなされたものであり、本発明が解決しようとする課題は、接続ユニットをベースユニットに対して組付・分解を行う際に、接続ユニットの一端部を床面に載置した状態で他端部を持ち上げた場合でも、簡易な構成で床面を傷つけることを防止できる、組立ベッドを提供することである。
【課題を解決するための手段】
【０００７】
以下では、上記課題を解決するための手段を説明する。
【０００８】
本発明に係る組立ベッドは、床面に載置されるベースユニットと、前記ベースユニットの上側から前記ベースユニットに組付けられる接続ユニットと、を備えた組立ベッドであって、前記ベースユニットに対する前記接続ユニットの組付又は分解を行う際に、前記接続ユニットの一端部に被せられるキャップ部材と、前記キャップ部材が係合可能とされる被係合部と、を備えるものである。
【０００９】
また、組立ベッドは、前記被係合部が、前記接続ユニットを前記ベースユニットに組付けた状態において、前記接続ユニットの一端部の近傍に位置するものである。
【００１０】
また、組立ベッドは、前記接続ユニットの一端部には一端側ユニットが組付けられ、前記一端側ユニットには固定ピンが形成され、前記接続ユニットの前記一端部には、前記一端側ユニットを前記接続ユニットに組付ける際に前記固定ピンと係合する係合金具が固定され、前記キャップ部材は、前記ベースユニットに対する前記接続ユニットの組付又は分解を行う際に、前記係合金具に被せられるものである。
【００１１】
また、組立ベッドは、前記固定ピンが、前記被係合部として前記キャップ部材が係合可能とされるものである。
【００１２】
また、組立ベッドは、前記キャップ部材が、前記接続ユニットの前記一端部に被せられるキャップ本体部と、前記キャップ本体部から延出されて前記被係合部と係合するチャック部と、が一体的に形成されるものである。
【発明の効果】
【００１３】
本発明に係る組立ベッドによれば、接続ユニットをベースユニットに対して組付・分解を行う際に、接続ユニットの一端部を床面に載置した状態で他端部を持ち上げた場合でも、簡易な構成で床面を傷つけることを防止できるという効果を奏する。
【図面の簡単な説明】
【００１４】
【図１】一実施形態に係る組立ベッドを示す前方斜視図。
【図２】ベースユニットへのモーターユニットの組付方法を示す後方斜視図。
【図３】モーターユニットへのキャップ部材の装着状態を示す拡大図。
【図４】ベースユニットにモーターユニットを組付けた状態を示す後方斜視図。
【図５】モーターユニットへのリアユニットの組付方法を示す後方斜視図。
【図６】固定ピンへのキャップ部材の係合方法を示す拡大図。
【発明を実施するための形態】
【００１５】
＜昇降ベッド１＞
以下では図１から図６を用いて、本発明に係る組立ベッドの一実施形態である昇降ベッド１について説明する。本明細書においては、各図中に示す矢印で昇降ベッド１の方向を示している。図１に示す如く、昇降ベッド１は平面視で前後方向に長手方向を有する略矩形状に形成される。
【００１６】
図１に示す如く、昇降ベッド１は、床面に載置されるベースユニット２、ベースユニット２の上側からベースユニット２に組付けられる接続ユニットであるモーターユニット３、モーターユニット３の前部に組付けられるフロントユニット４、モーターユニット３の後部に組付けられるリアユニット５、モーターユニット３の上面に組付けられるボトム６、フロントユニット４の前端部に組付けられるヘッドボード７、及び、リアユニット５の後端部に組付けられるフットボード８を主な構成部品として備える。本実施形態に係る昇降ベッド１の使用者は、ボトム６の上面に図示しないマットレスを敷き、頭を前側に、足を後側にしてマットレスの上に横たわることにより昇降ベッド１を使用する。
【００１７】
ベースユニット２は昇降ベッド１の全ての構成部品を直接的又は間接的に支持する基台部であり、平面視で前後方向に長手方向を有する矩形状に形成される。図２及び図４に示す如く、ベースユニット２は前後方向に軸方向を有する支持フレーム２１・２１を左右に備える。支持フレーム２１・２１におけるそれぞれの前後両端部には、床面に載置される脚座２２が組付けられる。支持フレーム２１・２１の間における前部と後部には、支持柱２３・２３が左右方向に架け渡される。これにより、支持フレーム２１・２１が連結され、支持フレーム２１・２１、及び、支持柱２３・２３により、ベースユニット２は強固な枠体として構成される。
【００１８】
それぞれの支持柱２３には、一対の固定リンク２３ａ・２３ａが左右に立設されている。固定リンク２３ａ・２３ａの上端には昇降フレーム２４が回動可能に支持されている。詳細には、支持柱２３と平行に筒状の昇降フレーム２４が配置され、昇降フレーム２４から一対の可動リンク２４ａ・２４ａが延出される。そして、可動リンク２４ａ・２４ａの先端が固定リンク２３ａ・２３ａの上端に回動可能に連結されることにより、固定リンク２３ａ・２３ａに対して昇降フレーム２４が回動可能とされるのである。昇降フレーム２４の左右両端部には樹脂製の円筒状部材であるブッシュ２４ｂ・２４ｂが嵌装されている。昇降フレーム２４の左右方向中央部からは回動レバー２４ｃが延出される。
【００１９】
前後それぞれの昇降フレーム２４・２４に固定されている回動レバー２４ｃ・２４ｃは、連結フレーム２５により連結されている。連結フレーム２５にはブラケット２６が固定されている。上記構成において、連結フレーム２５に対して前後方向に力が加わると、昇降フレーム２４を回動させるモーメントが生じ、固定リンク２３ａ・２３ａの上端を中心として昇降フレーム２４が回動される。
【００２０】
図２に示す如く、接続ユニットの一形態であるモーターユニット３は上側からベースユニット２に組付けられる。モーターユニット３は昇降モータＭ１、背上げモータＭ２、及び、これらの駆動を制御する制御ボックスＣを備えた昇降ベッド１の駆動部である。昇降モータＭ１及び背上げモータＭ２は、使用者が図示しないリモコンを操作することにより、制御ボックスＣを介して操作される。モーターユニット３における各構成部品の位置関係については、図４に示す如くベースユニット２に組付けられた後の状態で説明する。
【００２１】
モーターユニット３は平面視で前後方向に長手方向を有し、ベースユニット２よりも一回り小さい矩形状に形成される。モーターユニット３は前後方向に軸方向を有するモーターフレーム３１・３１を左右に備える。モーターフレーム３１の前後両端には、下方に延出される脚部３２・３２が固定される。脚部３２の下端には半円筒部材であるベース受け部材３２ａが設けられている。
【００２２】
モーターフレーム３１・３１の間における前部と後部には、連結柱３３・３３が左右方向に架け渡される。これにより、モーターフレーム３１・３１が連結され、モーターフレーム３１・３１、及び、連結柱３３・３３により、モーターユニット３は強固な枠体として構成される。
【００２３】
モーターユニット３をベースユニット２に組付ける際は、図２中の一点鎖線矢印に示す如く、モーターユニット３の脚部３２におけるベース受け部材３２ａを、ベースユニット２の昇降フレーム２４におけるブッシュ２４ｂにそれぞれ被せる。これにより、脚部３２と昇降フレーム２４との水平方向変位が規制される。
【００２４】
昇降モータＭ１及び背上げモータＭ２は後側の連結柱３３に組付けられる。本実施形態において、昇降モータＭ１及び背上げモータＭ２は本体部から前方に延出されるロッドを進退させる構成であり、市販の電動リニアアクチュエータが採用されている。昇降モータＭ１のロッドの先端部分はブラケットＢを介して右側のモーターフレーム３１に支持されている。
【００２５】
モーターユニット３をベースユニット２に組付けた状態において、昇降モータＭ１のロッドの先端は連結フレーム２５に固定されたブラケット２６と連結される。上記の構成において昇降モータＭ１が駆動すると、連結フレーム２５が前後に進退し、昇降フレーム２４を回動させる。そして、昇降フレーム２４が支持柱２３に対して回動変位することにより、モーターユニット３が昇降される。
【００２６】
背上げモータＭ２のロッドの先端は回動リンク３４ａに連結されており、回動リンク３４ａを介して背上げ部材３４を回動可能とされている。つまり、背上げモータＭ２が駆動すると、回動リンク３４ａを介して背上げ部材３４が上下に回動するのである。なお、本実施形態においては脚上げ部材３５を回動させる構成にはなっていないが、モーターユニット３に脚上げモータを設けることにより、脚上げ部材３５を回動させる構成とすることもできる。
【００２７】
図２、図５、及び、図６に示す如く、モーターフレーム３１・３１の後端部には、リアユニット５を組付けるために用いるリア係合金具３１ａ・３１ａが固定されている。また、図２及び図４に示す如く、モーターフレーム３１・３１の前端部には、フロントユニット４を組付けるために用いるフロント係合金具３１ｂ・３１ｂが固定されている。リア係合金具３１ａ及びフロント係合金具３１ｂには係合凹部が形成されている。
【００２８】
リアユニット５は図５に示す如く、前後方向に軸方向を有するリアフレーム５１・５１を連結フレーム５２で連結することにより構成される。リアフレーム５１の中途部におけるやや後寄りには内側に突出する固定ピン５１ａが形成される。また、リアフレーム５１の中途部におけるやや前寄りには内側に突出する係合片５１ｂが設けられる。
【００２９】
リアユニット５をモーターユニット３の後部に組付ける際は、リアフレーム５１・５１の間にモーターフレーム３１・３１を収容し、図５中の一点鎖線矢印に示す如く、固定ピン５１ａをリア係合金具３１ａの係合凹部に係合させる（図６を参照）。また、係合片５１ｂをモーターフレーム３１の上面に係合させる。その後、図示しないピンをリアフレーム５１とモーターフレーム３１との双方に挿入することにより、リアユニット５がモーターユニット３に対して固定されるのである。図１に示す如く、リアユニット５の後端部にはフットボード８が固定される。
【００３０】
フロントユニット４はモーターユニット３の前部に組付けられる。フロントユニット４をモーターユニット３に組付ける手法についてはリアユニット５と同様であるため、詳細な説明は省略する。図１に示す如く、フロントユニット４の前端部にはヘッドボード７が固定される。
【００３１】
ボトム６はモーターユニット３の上面に組付けられる。詳細には、ボトム６は座ボトム６１、背ボトム６２、膝ボトム６３、及び、脚ボトム６４で構成されている。座ボトム６１はモーターフレーム３１・３１の前後方向略中央部分に組付けられる。背ボトム６２は背上げ部材３４に組付けられ、背上げモータＭ２の駆動により昇降可能とされている。膝ボトム６３は脚上げ部材３５に組付けられ、モーターユニット３に脚上げモータを設けた場合には脚上げモータの駆動により昇降可能とされる。脚ボトム６４は前端部が膝ボトム６３の後端部と回動可能に連結された状態でリアユニット５の上面に載置されている。
【００３２】
＜キャップ部材９＞
図１に示す如く、本実施形態に係る昇降ベッド１にはシリコン等の樹脂製のキャップ部材９・９が備えられる。図２に示す如く、キャップ部材９・９は、ベースユニット２に対してモーターユニット３を組付又は分解する際に、モーターユニット３の一端部（本実施形態においては後端部）におけるリア係合金具３１ａに被せられる。そして、ベースユニット２に対してモーターユニット３を組付けた後には、キャップ部材９は図６中の一点鎖線矢印に示す如く、リアユニット５におけるリアフレーム５１に形成された被係合部である固定ピン５１ａに係合される。
【００３３】
キャップ部材９は図３に示す如く、リア係合金具３１ａに被せられるキャップ本体部９ａと、キャップ本体部９ａから延出されて固定ピン５１ａと係合するチャック部９ｂと、が一体的に形成される。キャップ本体部９ａにはリア係合金具３１ａを挿入可能に、リア係合金具３１ａと略同形状のＬ字状の挿入孔９ｃが形成されている。
【００３４】
本実施形態に係る昇降ベッド１によれば、モータ―ユニット３をベースユニット２に対して組付・分解作業を一人で行う場合でも、床面を傷つけることを防止できる。詳細には図２に示す如く、モーターユニット３の後端部を床面に載置した状態で前端部を持ち上げた際に、モーターユニット３の後端部に固定されたリア係合金具３１ａにはキャップ部材９が被せられている。即ち、キャップ部材９はリア係合金具３１ａが床面と接触することを防ぐため、リア係合金具３１ａが床面と擦れて床面を傷つけること防止できるのである。
【００３５】
本実施形態において、キャップ部材９はモーターユニット３におけるリア係合金具３１ａに被せられる。リア係合金具３１ａは先端部が尖った形状に形成されているため、床面と少し接触した場合でも、床面に傷が付くことがある。しかし、本実施形態においてはリア係合金具３１ａにキャップ部材９を被せた状態でモーターユニット３の組付け作業を行うことができるため、床面を傷つけることを防止できる。
【００３６】
また、本実施形態において、モーターユニット３をベースユニット２に組付けた後にキャップ部材９を係合する固定ピン５１ａは、図６に示す如くモーターユニット３の後端部であるリア係合金具３１ａの近傍に位置する。このため、リア係合金具３１ａから取り外したキャップ部材９を固定ピン５１ａに係合させる際の作業が容易となり、キャップ部材９を紛失する虞を低減させることができる。また、一旦組立てた昇降ベッド１を移動等のために分解する際にも、リア係合金具３１ａの近傍にキャップ部材９が備えられているため、分解作業時にキャップ部材９をリア係合金具３１ａに対して容易に被せることができる。
【００３７】
また、本実施形態において被係合部として使用される固定ピン５１ａは、リアユニット５をモーターユニット３の後部に組付ける際に、リア係合金具３１ａの係合凹部に係合させるために従来用いられている部材である。即ち、本実施形態においては固定ピン５１ａを被係合部として使用することにより、被係合部を別途作成する必要がなく、昇降ベッド１の製造コストを抑制することができる。
【００３８】
また、本実施形態におけるキャップ部材９は、キャップ本体部９ａとチャック部９ｂとを一体的に形成している。これにより、別途紐等をキャップ部材に結び付けて係合部を形成する必要がなくなるため、キャップ部材９の製造コストを抑制することができる。また、本実施形態においてキャップ部材９は左右の区別なく対照的な形状に形成されているため、左右何れのリア係合金具３１ａにも被せることができる。これにより、作業者の作業負担を軽減することができる。また、キャップ部材９はリア係合金具３１ａの形状に合わせて形成されているため、リア係合金具３１ａから容易に離脱することがない。即ち、リア係合金具３１ａと床面との間にタオル等を介挿して作業を行う場合と比較して、床面を傷つける可能性を大幅に低減することができる。
【００３９】
なお、本実施形態においては、キャップ部材９を被せる側をモーターユニット３の後端部（リア係合金具３１ａ）としたが、キャップ部材９はモーターユニット３の一端側に被せることができれば良く、本構成に限定されるものではない。即ち、キャップ部材９を被せる側をモーターユニット３の前端部（フロント係合金具３１ｂ）とすることも可能である。また、ベースユニット２の上側に、フロントユニット４とリアユニット５とを接続ユニットとして直接組付ける構成とすることも可能である。
【符号の説明】
【００４０】
１        昇降ベッド（組立ベッド）          ２        ベースユニット
３        モーターユニット（接続ユニット）  ４        フロントユニット 
５        リアユニット                      ６        ボトム
７        ヘッドボード                      ８        フットボード
９        キャップ部材                      ９ａ      キャップ本体部
９ｂ      チャック部                        ９ｃ      挿入孔
２１        支持フレーム                    ２２        脚座
２３        支持柱                          ２３ａ      固定リンク
２４        昇降フレーム                    ２４ａ      可動リンク
２４ｂ      ブッシュ                        ２４ｃ      回動レバー
２５        連結フレーム                    ２６        ブラケット
３１        モーターフレーム                ３１ａ      リア係合金具
３１ｂ      フロント係合金具                ３２        脚部
３２ａ      ベース受け部材                  ３３        連結柱
３４        背上げ部材                      ３５        脚上げ部材
５１        リアフレーム                    ５１ａ      固定ピン
５１ｂ      係合片                          ５２        連結フレーム
６１        座ボトム                        ６２        背ボトム
６３        膝ボトム                        ６４        脚ボトム
Ｂ        ブラケット                        Ｃ        制御ボックス
Ｍ１        昇降モータ                      Ｍ２        背上げモータ
【図１】
2019097645.tif 000003
【図２】
2019097645.tif 000004
【図３】
2019097645.tif 000005
【図４】
2019097645.tif 000006
【図５】
2019097645.tif 000007
【図６】
2019097645.tif 000008